(57)【要約】      （修正有）【課題】植物の結実部に用いる補光としての反射光を、植物が成長しても結実部に対して一定に当たるようにする。【解決手段】植物１０の結実部１５に対して照明光Ｓを上方から照射する灯具３１と、下方から反射光Ｒを照射する反射板３２とを、間隔Ｈを維持するように一体化した照明ユニット３０とする。照明ユニット３０を植物１０の結実部１５周囲に配置し、昇降ロープ３３により高さ方向移動自在及び任意位置で固定可能にする。照明ユニット３０を植物１０の成長に応じて上方へ移動させ、その収穫期における結実部１５にて固定することにより、結実部１５の補光を一定にする。特に、果実１３の下部に対する反射光の光量が一定になる。【選択図】図２
2019058110.tif 000002
【特許請求の範囲】
【請求項１】
上方へ成長する茎（１１）と、その周囲に結実する果実（１３）を有する植物（１０）に対して、結実部（１５）の周囲へ光を照射する照明装置（３２）を配置し、この照明装置を植物の成長に合わせて上方へ移動可能にした植物育成用照明装置において、
前記照明装置は、果実（１３）へ下方から反射光を照射する反射材（３２）を備え、
この反射材（３２）が茎（１１）に沿って上方へ移動可能であり、かつ任意の高さ位置で固定可能になっていることを特徴とする植物育成用照明装置。
【請求項２】
上記反射材（３２）は発泡樹脂からなることを特徴とする請求項１の植物育成用照明装置。
【請求項３】
上記反射材（３２）には、茎（１１）及び葉（１２）を通過させるための中央穴（３２ｂ）又はび切り込み（３２ｃ）もしくは双方が形成されていることを特徴とする請求項１又は２の植物育成用照明装置。
【請求項４】
果実（１３）を上方から照射する灯具（３１）を備え、灯具（３１）を果実（１３）の上方に、反射材（３２）を果実（１３）の下方となるように所定の間隔（Ｈ）を持って配置したことを特徴とする請求項１〜３のいずれか１項に記載した植物育成用照明装置。
【請求項５】
上記灯具（３１）と反射材（３２）が一体化されて、ユニット化していることを特徴とする請求項４の植物育成用照明装置。
【請求項６】
上記灯具（３１）又は反射材（３２）もしくは双方の相対位置が可変であることを特徴とする請求項４又は５の植物育成用照明装置。
【発明の詳細な説明】
【技術分野】
【０００１】
この発明は、植物育成用照明装置、特に果実に対して反射光を照射することができる照射装置に関する。なお、本願において果実とは、果樹類や果菜類の実を意味する。
【背景技術】
【０００２】
植物の人工栽培等において、ＬＥＤ等の灯具を用いて補光することは公知である。また、この照明を、つる植物の成長に合わせて高さ調整するとともに、つるの固定点も一緒に上昇させるものもある（特許文献１参照）。
さらに、果実の下面における着色を良好にするため、地面に反射シート（反射材）を広げ、これによる反射光を果実の下面に当てて着色を促進させることも知られている。
【先行技術文献】
【特許文献】
【０００３】
【特許文献１】特開２０１３−１９２５５２号公報
【発明の概要】
【発明が解決しようとする課題】
【０００４】
ところで、果実を収穫する植物の場合、果実に対して十分な光量を照射することにより、十分な着色や成熟度になるよう熟成を促進し、高品質にすることが行われ、このためには補光照明することにより、果実に当てる十分な光量を確保している。
また、高性植物で、成長とともに結実部が順次上方へ移動するものは、照明を植物の成長に応じて上昇させることにより、結実部に対して一定の補光光量が確保される。
特に、パプリカのような熟成に長時間を要するものは、補光照明により有効に熟成を促進できることが知られている。
さらに、反射光を下方から果実へ照射して、下面の着色等を良好にすることにより、全体が均一に着色されて熟成した高品質のものとし、かつ全体の熟成速度を均一化するとともに全体の熟成を促進することも知られている。
しかし、従来の反射光は、反射シートを地面上に固定しているため、植物が成長して結実部が上方へ移動するにしたがって結実部も照明も反射シートから離れていくため、果実に対する反射光の照射が次第に減少し、反射光による熟成の促進が期待できなくなった。
そこで本願は、植物が成長しても、結実部に対して一定の光量を上下から確保して、全体の均一な熟成を促進することを目的とする。
【課題を解決するための手段】
【０００５】
上方へ成長する茎（１１）と、その周囲に結実する果実（１３）を有する植物（１０）に対して、果実（１３）へ光を照射する照明装置を結実部（１５）の周囲に配置し、この照明装置を植物の成長に合わせて上方へ移動可能にした植物育成用照明装置において、
前記照明装置は、果実（１３）へ下方から反射光を照射する反射材（３２）を備え、
この反射材（３２）が茎（１１）に沿って上方へ移動可能であり、かつ任意の高さ位置で固定可能になっていることを特徴とする。
【発明の効果】
【０００６】
植物の成長に応じて、反射材（３２）が茎（１１）に沿って上方へ移動し、果実（１３）へ下方から反射光を照射できる所定位置で固定できるようにしたので、植物の成長により結実部（１５）が上方へ移動しても、これに追随して反射材（３２）を上方へ移動させ、果実（１３）に対して外光等の反射光が良好になる任意位置で固定できる。
このため、果実（１３）に対する反射光の光量を常時一定にできるから、結実部（１５）が高い位置に移動しても、果実（１３）の下部における着色を良好にして全体の熟成を促進でき、高品質を維持できる。
【図面の簡単な説明】
【０００７】
【図１】異なる収穫期の状態にある植物を並べて示す第１実施例の斜視図
【図２】第１実施例における結実部を照明する照明ユニットの断面図
【図３】第１実施例における照明ユニットの斜視図
【図４】第２実施例の照明ユニットの斜視図
【図５】第３実施例の照明ユニットの上部を下方から示す斜視図
【図６】第４実施例の斜視図
【図７】第４実施例におけるクリップの平面図
【図８】第５実施例の斜視図
【図９】第６実施例の斜視図
【図１０】第６実施例の使用例を示す図
【図１１】第７実施例の斜視図
【図１２】第８実施例の展開状態における反射板の斜視図
【図１３】図１２の１３−１３線に沿う断面図及びその使用状態図
【図１４】第８実施例の反射板を植物へ取付けた状態における断面図
【発明を実施するための形態】
【０００８】
以下、図面に基づいて実施形態に係る植物育成用照明装置を説明する。
図1〜図３は第１実施例に係り、図１は上方へ高く成長する高性の結実植物（例えばパプリカ）について、成長段階の異なるものを３つ並べて示す。図中のＡは第１収穫期、Ｂは第２収穫期、Ｃは第３収穫期のものである。
【０００９】
各植物１０は、上方へ伸びる茎１１と、その周囲に形成される葉１２及び果実１３を有する。茎１１は、上下方向に長く垂直に配置された支柱２０に沿って誘引される。ただし、支柱２０に代えて上方から垂下される誘引用ロープであってもよい。
支柱２０は、丸棒状もしくはパイプ状の長尺部材であり、地面２１と栽培用ハウスを構成する屋根２２の内側下方へ略水平に配置された梁２３との間へ、略垂直に立てられている。
支柱２０の高さは植物１０の成長限界高さに合わせてあり、例えば３〜５ｍ程度とする。
【００１０】
この例は植物のハウス栽培例を示すが、ハウス外における露地栽培でもよい。
また、植物１０を直接地面２１へ植えているが、人工栽培として、根を肥培用の液体タンクへ入れてもよい。この場合、地面２１はハウスの床面となる。
【００１１】
植物１０は、成長に応じて結実部１５が順次上方へ移動するようになっており、Ａに示すように、第１収穫期では比較的地面２１に近い部分に結実する。Ｂに示す第２収穫期では結実部１５はＡより高い位置になり、Ｃの第３収穫期にはさらに高くなる。果実１３は収穫期に応じて比較的高い位置に順次移って結実する。なお、本願において結実部１５とは、植物１０の高さ方向において、同時期に結実する果実が集中するような所定の範囲をいう。
【００１２】
この結実部１５の周囲には、照明ユニット３０が設けられている。照明ユニット３０は上方の灯具３１と下方の反射板３２を一体化したユニットを構成する。灯具３１は上方から照射する補光用照明の光源部であり、例えばＬＥＤで構成される。
反射板３２は反射部材の一例であり、必ずしも板状部材から形成されなくてもよく、例えば、シート状でもよい。
【００１３】
照明ユニット３０は、昇降ロープ３３により結実部１５の位置に合わせて上下方向へ移動でき、結実部１５の位置にて固定され、その収穫期中は所定高さを維持する。
灯具３１は上方から照射する補光用照明の光源部であり、例えばＬＥＤで構成され、昇降ロープ３３と一緒に梁２３から垂れ下がる電線３５により給電される。
【００１４】
灯具３１は、栽培用ハウスの屋根２２等を通して、上方から植物１０へ照射される外光Ｌを補うものであり、照明光Ｓを上方から結実部１５へ直接照射する。なお、光源からの照射方向は一定でなく、複数の果実へ種々な方向へ照射する。その光量や光線の種類（波長）は適宜調整される。
また、灯具３１は、結実部１５に対する外光Ｌの補光のみならず、夜間や曇天の光量不足時においても、植物１０に対する人工照明手段として有効である。
【００１５】
この例における照明ユニット３０は、灯具３１と反射板３２が結実部１５を上下に挟んで配置され、植物１０の成長に合わせて、結実部１５とともに上方へ移動し、上昇した結実部１５の位置で固定されるので、結実部１５の周囲に常時位置し、所定間隔の灯具３１と反射板３２が果実１３を上下から常時効率よく照射して熟成を促進させることができる。特に、反射板３２が結実部１５の下方かつ近傍に位置するから、果実１３の下面に反射光を十分に照射できる。
特に、植物１０が成長しても、灯具３１と反射板３２の距離を所定範囲に維持して果実１３に対して一定量以上の反射光を照射可能にすることが重要であり、照明ユニット３０を植物１０の成長に合わせて上昇させることにより、これを実現している。
【００１６】
昇降ロープ３３はロープロック装置３４とともに照明ユニット３０の高さ可変手段をなし、照明ユニット３０からロープロック装置３４まで上昇し、ここでロープロック装置３４により拘束又は解放されるようになっている。昇降ロープ３３は、さらにロープロック装置３４からＵターンして下方へ垂下し、先端が自由端になっている。昇降ロープ３３のうち、照明ユニット３０からロープロック装置３４までが吊り下げ部であり、ロープロック装置３４から自由端までが操作部３３ａをなしている。
【００１７】
照明ユニット３０の高さは、ロープロック装置３４による昇降ロープ３３の吊り下げ長さ（ロープロック装置３４から照明ユニット３０までの吊り下げ部の長さ）を調節することにより行われる。
ロープロック装置３４は、梁２３に固定されており、昇降ロープ３３の操作部３３ａ側の引き出し長さを調節自在になっている。
【００１８】
操作部３３ａを下方（ｂ矢示方向）へ引くと、昇降ロープ３３を拘束していたロープロック装置３４がロック解除されて昇降ロープ３３が解放され、操作部３３ａを下方へ引き出し可能になり、照明ユニット３０を上方（ａ矢示方向）へ引き上げることができる。
【００１９】
照明ユニット３０が所定位置まで上昇すると、操作部３３ａを横方向（ｃ矢示方向）へ動かすことにより、ロープロック装置３４において昇降ロープ３３が拘束されてロック状態となり、昇降ロープ３３はこの位置で上下動不能となる。このため、照明ユニット３０は所定位置に位置決めされて固定され、次の操作までこの位置に維持される。
その後、再び操作部３３ａを下方へ引いてロックを外すと、操作部３３ａの引き出し量を調節することができるようになり、照明ユニット３０の高さ調節が可能になる。
【００２０】
なお、このようなロープロック装置は公知であり、例えばブラインド用の昇降コードに対するロック装置として多くのものが公知である（一例として。実開昭６１−１７９２９６号公報がある）。
ただし、ロープロック装置３４はこのようなものに限らず、種々可能であり、例えば、ロープロック装置３４を電動モータで構成し、電気的な制御により巻き上げ又は巻き下げをして、照明ユニット３０を所定位置に固定してもよい。
【００２１】
さらには、ロープロック装置３４を単なるプーリーとして、引き出し長さを調節した操作部３３ａを支柱２０へ縛り付けるようにしてもよい。この場合にはロープロック装置３４を省略可能になる。
【００２２】
図２は、植物１０を照射する照明ユニット３０の断面図（図１の照明ユニット３０を拡大して示す）であり、図３は照明ユニット３０自体の斜視図である。なお、図２では支柱２０を省略してある。
これらの図に示すように、照明ユニット３０は、円形リング状の上枠３６と反射板３２を上下方向に向けて設けられる側枠３７で所定間隔を隔てて一体化したユニット構造をなしている。
【００２３】
上枠３６は樹脂等適宜材料からなり、植物１０の結実部１５周囲を囲む程度の大きさを有する。周方向所定間隔（この例では１２０°）に斜めロープ３８の下端が結ばれ、斜めロープ３８の上端は、上枠３６の中心部上方にて連結部材３９ａへ一つに結ばれる。
【００２４】
図３中の丸囲み部Ａに示すように、連結部材３９ａには、上方から垂れ下がる昇降ロープ３３の下端に取り付けられたフック３９ｂが係止し、これにより、照明ユニット３０は昇降ロープ３３の下端へ吊り下げられる。昇降ロープ３３には電線３５が沿わされており、その下端が灯具３１に接続されている。
【００２５】
連結部材３９ａには、灯具吊り下げロープ３１ａの上端が連結され、灯具吊り下げロープ３１ａの下端には灯具３１が支持されている。灯具吊り下げロープ３１ａは、上枠３６の中心部を昇降ロープ３３の延長上に沿って上下方向に配置され、灯具３１は灯具吊り下げロープ３１ａにより、連結部材３９ａから吊り下げられて上枠３６の内側に中心部近傍に垂れ下がって配置される。
【００２６】
灯具３１の高さ位置は、照明する植物１０の結実部１５の位置に応じて調整できる。具体的には、灯具吊り下げロープ３１ａの長さを調整することにより、灯具３１の高さを自由に変化させることができ、結実部１５に対して効率よく照明されるよう任意に調整できる。すなわち、昇降ロープ３３により結実部１５全体に対する照明ユニット３０の概略的位置を高さ調節でき、さらに灯具吊り下げロープ３１ａにより、結実部１５における各果実１３の位置に応じて灯具３１の高さを調節できる。また後述するように、反射板３２の高さ位置も調節できる。
【００２７】
電線３５は灯具３１から灯具吊り下げロープ３１ａに沿って上方へ延び、さらに、昇降ロープ３３に沿って上方へ配線される。
なお、灯具３１の吊り下げは、灯具吊り下げロープ３１ａを省略して電線３５自体で行うようにすることもできる。この場合は、電線３５の長さを調整することにより、灯具３１の高さを調整することができる。
【００２８】
また、昇降ロープ３３も電線３５に代えることができる。この場合は、各斜めロープ３８の上端を電線３５の灯具３１より上方部分へ連結するとともに、電線３５の吊り下げ量を変化させることにより、照明ユニット３０及び灯具３１の高さを調整する。
【００２９】
なお、連結部材３９ａ、フック３９ｂは必須でなく、各斜めロープ３８と昇降ロープ３３を直接結び付ける等自由である。この場合、例えば、昇降ロープ３３の下部を三つ叉状に枝分かれさせ、この枝分かれした部分の各先端部を上枠３６へ適宜方法で連結させてもよい。
【００３０】
図３中の丸囲み部Ｂに示すように、側枠３７の上部は、上枠３６に設けられた上下の貫通穴３６ａを貫通して上方へ出ており、ここで、例えば玉状に結んだ抜け止め部３７ａにより下方への抜け止めがされて固定される。
側枠３７は上枠３６の周方向へ等間隔で複数本が設けられ、各上端部が上枠３６へ連結される。
【００３１】
なお、側枠３７の上端部と上枠３６の連結は、これに限らず種々可能であり、例えば、側枠３７がロープ状の場合は直接上枠３６へ結び付けてもよい。
また、側枠３７を斜めロープ３８の延長部として、側枠３７と斜めロープ３８を連続一体に形成することもできる。
側枠３７の下部は、灯具３１と反射板３２の間隔が所定間隔を保つように反射板３２へ連結される。
【００３２】
図３の丸囲み部Ｃに示すように、側枠３７の下部は、反射板３２の外周部に形成された上下方向の貫通穴３２ａを貫通して下方へ突出し、ここでストッパ３７ｂを設けることにより、反射板３２の高さが位置決めされる。
【００３３】
ストッパ３７ｂは、例えば側枠３７の下部を通過させる貫通穴が形成されるとともに、その下方側開口部近傍に弾性突起３７ｃを一体に突出形成し、側枠３７を下方へ引き出すことを許容するとともに、弾性突起３７ｃが側枠３７の貫通部周囲へ係止することにより、上方への引き出しを不可とするものである。ただし、このようなストッパ３７ｂはこの例に限らず種々可能である。
また、側枠３７がロープ状の場合は、側枠３７の反射板３２から下方へ出た部分に結び目を作って反射板３２を下方へずれないようにしてもよい。
【００３４】
各側枠３７の下端は、同様にして反射板３２を位置決める。これにより、灯具３１と反射板３２の間隔は所定の間隔Ｈ（図２）になる。
反射板３２の高さは、結実部１５に対して下方から外光Ｌ及び灯具３１の照明光Ｓの反射光Ｒを効率よく、かつ十分な光量で照射できるように調整される。
【００３５】
反射板３２は、外光Ｌ及び灯具３１の照明光Ｓを反射して、その反射光Ｒを下方から果実１３へ照射して結実を促進するものであり、反射効率の高い適宜材料が選ばれている。
例えば、平滑で高い反射率を有する樹脂板がある。特に、発泡スチロールなどの発泡樹脂製であれば軽量化に優れて好ましいものである。また、より高い反射率を求めるなら、アルミ箔などの金属箔で紙や樹脂等の好ましくは軽量板材料の上を覆ったものや、鏡のようなアルミ蒸着部材がある。
【００３６】
この例における反射板３２は、発泡スチロール等の発泡樹脂を円板状に形成したものである。ただし、反射板３２の形状は、円板に限定されず、反射光を照射する結実部１５の条件に応じて多角形や不規則な異形形状等が適宜可能である。
図３の丸囲み部Ｄに示すように、反射板３２の中心には、茎１１を通す中央穴３２ｂと、放射状の切り込み３２ｃが形成されている。切り込み３２ｃは中央穴３２ｂから外周方向へ所定長さで切り込まれ、例えば、図１のＡの状態からＢの状態へ照明ユニット３０を移動させるとき、茎１１及び葉１２を通過させるためのものであり、複数設けられている。
【００３７】
反射板３２を発泡樹脂材料とすることにより、茎１１及び葉１２を通過させる際に、中央穴３２ｂや切り込み３２ｃにおける弾性変形を可能とする。また、著しく軽量になるので、照明ユニット３０全体を軽量にして吊り下げを容易にする。なお、中央穴３２ｂの大きさ並びに切り込み３２ｃの数や長さ等は任意に設定できる。また、中央穴３２ｂと切り込み３２ｃのいずれか一方を省略することも可能である。
【００３８】
次に、本実施形態の作用を説明する。
図１において、まずＡに示すように、植物１０の茎１１を支柱２０へ固定するとともに、予め反射板３２の中央穴３２ｂへ支柱２０を通した状態で、照明ユニット３０を支柱２０に沿って下降させ、植物１０の茎１１上部及び葉１２を中央穴３２ｂ及び切り込み３２ｃに通過させ、第１収穫期における結実部１５の所定の位置で照明ユニット３０を植物１０の結実部１５周囲へ固定する。
【００３９】
この状態では、図２にも示すように、結実部１５の葉１２や果実１３に対して、上方から灯具３１による直接の照明光Ｓが照明し、下方から反射板３２による反射光Ｒが当たるようになっている。
また、灯具３１の照明に加えて、外光Ｌも上方から結実部１５を照射し、さらに反射板３２により反射されて反射光Ｒとなって下方から結実部１５を照射する。
【００４０】
すなわち、灯具３１は結実部１５に対して、照明光Ｓが上方からの外光Ｌの補光手段となり、反射板３２も照明光Ｓ及び外光Ｌを反射した反射光Ｒによる下方からの補光手段となる。
このとき、灯具３１と反射板３２の間隔Ｈがほぼ一定であり、結実部１５に対して、灯具３１の補光と反射板３２の反射光による補光が十分量確保されているため、結実部１５は効率よく熟成を促進される。しかも着色等の熟成が遅れがちな果実１３の下部も良好に着色して熟成が均一に促進される。
【００４１】
このように、照明ユニット３０を灯具３１及び反射板３２が一体化されたユニットとすることにより、その昇降等の操作を簡単にできる。また、灯具３１と反射板３２を所定の間隔Ｈにすることで、照明ユニット３０の昇降時において、結実部１５に対する最適な補光条件を常時維持でき、その都度間隔を設定する手間を省くことができる。
【００４２】
なお、間隔Ｈは経験により、結実部１５に対する十分な補光を可能にするように予め設定されている。しかし、灯具３１及び反射板３２の相対位置を、いずれか一方又は双方同時に調整することが可能であり、これにより具体的な個々の結実部１５に対して、当初の間隔Ｈでは補光が不十分となるような結実部１５においては、各果実１３に対する補光照射が最適となるように個別的な調整がきる。なお、この個別調整はＡ以降のＢ及びＣ等の各収穫期においても同様にできる。
【００４３】
次に、図１のＡにおける第１収穫期が過ぎると、結実部１５は、図１のＢに示すように、上方へ移る。そこで、照明ユニット３０を支柱２０に沿って上昇させ、新たな結実部１５を囲むように配置する。すると、この第２収穫期における新たな結実部１５でも、照明ユニット３０による上下からの補光により効率的な熟成が促進される。
【００４４】
このとき、照明ユニット３０の上昇に伴って反射板３２も上昇し、灯具３１との間隔Ｈをほぼ維持したままなので、果実１３に対する下方からの十分量の反射光を確保できる。
したがって、従来のような、地面に反射材を配置したとき、下方からの反射光が著減して果実１３の下部に対する不十分な補光状態となることがなく、第１収穫期と同様に下部も良好にかつ迅速に着色し、全体が均一に着色して熟成した高品質なものとなり、かつ全体の均一な熟成の促進が図られる。
【００４５】
さらに、図１のＢにおける第２収穫期が終了すると、結実部１５は、図１のＣに示す、より上方へ移り、第３収穫期となる。
このときも、同様にして照明ユニット３０を反射板３２と共に、第３収穫期における結実部１５を囲む位置へ上昇させて、十分な熟成を促進できる。
【００４６】
以下、結実部１５が上方へ移動するにつれて照明ユニット３０を上方へ移動させれば、高収量かつ短時間で、高品質の果実１３を収穫することが可能になる。しかも、結実部１５が上方へ移動して収穫期が変化しても、各収穫期における熟成の程度及び時間を一定に維持できるので、各収穫期にわたって品質を安定させ、時間を短縮した収穫が可能になる。
【００４７】
次に、バリエーションとしての各実施例を説明する。なお、以下の説明において、前実施例と共通部には共通符号を用い、重複した部分の説明は原則として省略する。
図４は、灯具３１の固定構造を変更した第２実施例である。図５では、上枠３６から中心方向へ突出する支持腕４０を設け、その先端で、上枠３６の略中心上に灯具３１を設けてある。反射板３２、上枠３６及び側枠３７の各関係は第１実施例と同様である。
【００４８】
照明ユニット３０は、後述するように、反射板３２を茎１１へ固定することにより照明ユニット３０は任意の位置で上下方向へ可動に固定される。しかも、反射板３２を茎１１に対して上下方向へ移動できるので、照明ユニット３０は、ユニットとして灯具３１と反射板３２の間隔を一定に維持したまま高さ方向可変に支持される。したがって照明ユニット３０の吊り下げ手段を省略できる。
【００４９】
なお、支持腕４０に沿って電線３５が灯具３１配線されている。図示は省略してあるが、電線３５は上枠３６の外周部から上方へ延びている。ただし、図２と同様に灯具３１から直接上方へ延ばすこともできる。この場合には、電線３５を照明ユニット３０の吊り下げ手段として利用できる。
また、支持腕４０の長さ方向に対して、灯具３１を径方向へ自在に取り付けたり、支持腕４０に対して灯具３１を首振り自在に取り付けて、光の照射角度を調整自在にしてもよい。このようにすれば、灯具３１の照明光Ｓを結実部１５に対して最適に調整して照射をできる。
【００５０】
図５は、灯具３１の配置を変更した第３実施例における上枠３６を下側から示す図である。この例では、上枠３６の内周等に沿って、複数の灯具３１を周方向へ所定間隔で配置されている。灯具３１の数は任意である。このようにすると、茎１１等に邪魔されずに結実部１５の周囲を均一に照射できる。このとき灯具３１は照射角が上枠３６の中心を向くように、任意の角度に傾けて調整してもよい。なお、灯具３１の配置に関する部分以外は第２実施例と同じである。
【００５１】
図６は、照明ユニット３０専用のガイド５０を設け、これに沿って照明ユニット３０を昇降させ、かつガイド５０上の任意位置へ固定するようにした第４実施例である。ガイド５０は地面と梁（図１参照）の間にほぼ垂直に支持された丸棒状もしくはパイプ状の長尺部材であり、照明ユニット３０の上下移動をガイドし、かつ所定の高さ位置で支持するための部材である。
【００５２】
照明ユニット３０は図４のものを使用している。しかし、他の形式の照明ユニット（例えば、灯具３１を上枠３６から紐で吊したものや図５のような灯具３１を含むもの）を用いることは自由である。
この例では、図４の上枠３６及び反射板３２の各外周にクリップ６０を設け、これをガイド５０へ固定するようにしている。
【００５３】
クリップ６０は、例えばバネ材からなる略Ｃ字状の部材であり、クリップ６０を拡大してガイド５０の軸方向から示した図７に示すように、基部６１を上枠３６の外周部に外方へ突出形成した連結部６２で固定するとともに、互いに湾曲して先端を自由端とする把持部６３を備える。各把持部６３間に形成される円形の空間６４をガイド５０（図７では断面にて示してある）の外径以下とする。
【００５４】
このようにすると、把持部６３の自由端間を互いに離反するｅ矢示及びｄ矢示方向へ開いてガイド５０の周囲へ取り付け、ガイド５０に沿って高さ（長さ）方向へ自由に移動させるとともに、所定位置で把持部６３を閉じると、ガイド５０の周囲を強固に把持して上下方向へ移動不可となり、照明ユニット３０の高さ位置が決定される。
【００５５】
したがって、照明ユニット３０の吊り下げも不要となり、ガイド５０に沿った任意の高さ調整が可能となる。なお、クリップ６０の構造は、この例に限らず種々可能である。
また、この例では、上枠３６及び反射板３２の双方にクリップ６０を設けてあるが、いずれか一方（反射板３２側が好ましい）を省略することもできる。
【００５６】
図８は、図６のバリエーションである第５実施例であり、照明装置を非ユニット化した例である。この例では、図６において照明ユニット３０を構成している側枠３７を省略したものに相当し、上枠３６と反射板３２は、それぞれクリップ６０にてガイド５０へ任意高さで取付けられる。但し、灯具３１と反射板３２の間隔は所定の間隔Ｈ（図２）程度になるように調整される。
【００５７】
このようにすると、灯具３１と反射板３２を一体に昇降させることはできなくなるもの、灯具３１と反射板３２を任意の位置で固定できるので、結実部１５に応じて灯具３１と反射板３２の間隔Ｈを最適に変化させ、結実部１５に対する反射板３２の反射光量を常時最適化できる。
なお、この非ユニット化は、図６のユニットに基づくものであるが、図１等他のユニットを構成する上枠３６や反射板３２を用いることもできる。
【００５８】
図９及び図１０は、照明装置を非ユニット化するとともに、灯具も省略し、反射板３２を単独で用いた第６実施例である。図９に示す照明装置は、図１の照明ユニット３０において反射板３２のみで構成した例であり、反射板３２は茎１１及び支柱２０の周囲へ直接固定されている。
【００５９】
この場合、中央穴３２ｂの大きさを、茎１１及び支柱２０の太さを合計した大きさよりも小さくしておけば、中央穴３２ｂ周囲を茎１１及び支柱２０で拡大させて弾性変形したことによる反力としての弾力により茎１１（及び支柱２０）の上下方向所定位置で固定できる。また、反射板３２を上方へ強く引っ張れば、中央穴３２ｂ及び切り込み３２ｃの変形により、反射板３２が上方へ移動可能となり、任意の位置で固定できる。
【００６０】
したがって、植物１０の成長に合わせて結実部１５の下方となる位置へ反射板３２を順次移動させることができ、移動位置にて高さ位置を再び固定すれば（すなわち、反射板３２を上方へ引っ張り上げていた力を除けば）、反射板３２はその位置で上下方向の位置を固定され、外光Ｌ等の反射光を果実１３へ向けて下方から照射することができる。
【００６１】
しかも、植物１０の成長に応じて、常時反射板３２を結実部１５の下方所定位置に移動させて固定しておくことができるので、結実部１５に対する反射光Ｒの光量を一定にでき、果実１３の下部を効率よく着色させ、全体が均一に着色かつ熟成された高品質のものとなり、しかも全体の熟成が促進されて、高品質な果実１３を短時間で収穫可能になる。
【００６２】
なお、支柱２０を省略することができ、この場合、支柱２０に代えて植物１０を誘引ロープで上方へ引っ張る構成としてもよい。さらに、中央穴３２ｂを適切な大きさに調整することで、反射板３２は茎１１の周りの任意位置へ移動させて直接固定できる。
【００６３】
また、図１０に示すように、植物１０が複数に枝分かれした状態においても、各枝１４に対して反射板３２を個々に取り付け、それぞれの結実部１５に対して斜め下方の所定位置から反射光Ｒを照射できるように調整することもできる。この場合も、各枝１４ごとに反射板３２を結実部１５の位置が変化するのに対応させて移動することができる。
【００６４】
また、反射板３２は中央穴３２ｂを通る部分の枝１４の軸線方向に対して適宜傾けるだけで、枝１４に対して任意に傾斜した状態で固定できる。
この場合も、各枝１４ごとに反射板３２を結実部１５の位置が変化するのに対応させて移動することができる。したがって、反射板３２を適宜傾斜することで、各枝１４の果実１３に対して最適な反射光Ｒの照射が可能になる。
【００６５】
図１１は、図９において、専用のガイド５０を反射板３２の径方向外方へ設けた第７実施例である。
この例では、反射板３２の外周部にガイド５０の固定部７０を設け、この固定部７０により上下移動と任意位置における固定を可能にしている。
固定部７０は図中の丸囲み部に単独で示すように、図９の反射板３２における中央穴３２ｂ及び切り込み３２ｃと同様の穴７１（穴径はガイド５０の外径より小さい）及び切り込み７２を設けることにより、固定部７０をガイド５０の長さ方向へ高さ移動自在に移動させ、かつ所定位置でガイド５０へ固定することが可能になる。
【００６６】
なお、反射板３２の中央部には中央穴３２ｂ、切り込み３２ｃが設けられており、茎１１の周囲を上下移動可能になっている。固定部７０と反射板３２は連結部７３にて連結された平板状の一体形状をなし、例えば、この一体形状に板材をカットすることにより連続一体に形成される。このようにすると、反射板３２と固定部７０を同時に形成できるので製造が容易になる。
また、固定部７０は、穴７１及び切り込み７２を設けたものに限定されず、上下移動と任意位置における固定を可能にするものであれば種々可能である。例えば、輪ゴムよゴムバンドのような別体のものでもよい。図７のクリップのようなものでもよい。
【００６７】
図１２〜図１４は、反射板３２を立体的な形状にして傾斜角度を設けた第８実施例である。この例では、平板状をなす展開状態の反射板３２（図１２）を、略すり鉢の立体的な形状（図１４）にして使用するようになっている。
図１２は展開状態の反射板３２を示す。この状態の反射板３２は、板材からカットされた平板状をなし、中心に中央穴３２ｂを設け、かつ中央穴３２ｂから放射状に切り込み３２ｃを設けるとともに、中央穴３２ｂから外周へ達するスリット３２ｄを設ける。
スリット３２ｄを挟む反射板３２の外周部には、一方に突起３２ｅが一体に設けられ、他方にこれが係合する係合穴３２ｆが設けられる。係合穴３２ｆは周方向へ複数設けられている。
【００６８】
図１３のＡは、図１２の１３−１３線断面に沿って突起３２ｅと係合穴３２ｆを示す。
図１３のＢは、突起３２ｅと係合穴３２ｆの係合状態を示し、スリット３２ｄを閉じ、スリット３２ｄを挟む縁部３２ｇと３２ｈを重ね合わせると、突起３２ｅを係合穴３２ｆへ係合し、一体化できる。
【００６９】
図１４はこの状態を示し、スリット３２ｄを閉じた分だけ反射板３２は中心部が低く、外周部が高い略すり鉢状の立体的な形状となり、略Ｖ字状断面で上方へ開放された凹面となる。上面の傾斜は水平線ｈに対してθとなる。
このため、外光Ｌ（又は照明Ｓもしくは双方の光）の反射光Ｒは茎１１の方向に向かって傾く。したがって、果実１３が茎１１に近い位置にある場合には、より反射光Ｒの光量を多くすることができる。
【００７０】
なお、突起３２ｅと係合穴３２ｆの係合において、係合穴３２ｆを選択することにより、縁部３２ｇと３２ｈを重ね合わ量を変化させ、これにより反射板３２の傾斜を変化させることができる。
すなわち、スリット３２ｄの縁部３２ｇと３２ｈの重なり合う程度を変化させ、重なり合いが大きくなるほど、傾斜をきつくすることができる。この傾斜程度は、結実部１５の状況に応じて調整される。
【００７１】
また、スリット３２ｄの両縁部３２ｇと３２ｈを重ね合わせて結合するための手段は、突起３２ｅと係合穴３２ｆによる直接の係合ばかりでなく、種々可能であり、例えば、重ね合わせた状態の両縁部３２ｇと３２ｈを別部材のクリップで固定してもよい。
【００７２】
なお、本願は種々に変更・変形可能であり、例えば、本願発明の照明装置を適用する植物は、人工栽培を含むハウス内で育成されるものばかりでなく、露地栽培の植物に対しても有効である。また、全体が均一に着色して熟成する果実植物に対して適用することが好ましい。果実植物としては果樹類のみならず果菜類も含む。このような果菜類としては、一例としてあげたパプリカだけでなく、トマトのような高性のもの等が種々可能である。
【符号の説明】
【００７３】
１０：植物、１１：茎、１３：果実、１５：結実部、３０：照明ユニット、３１：灯具、３２：反射板、３３：昇降ロープ、５０：ガイド、６０：クリップ、７０：固定部、Ｌ：外光、Ｓ：照明光、Ｒ：反射光
【図１】
2019058110.tif 000003
【図２】
2019058110.tif 000004
【図３】
2019058110.tif 000005
【図４】
2019058110.tif 000006
【図５】
2019058110.tif 000007
【図６】
2019058110.tif 000008
【図７】
2019058110.tif 000009
【図８】
2019058110.tif 000010
【図９】
2019058110.tif 000011
【図１０】
2019058110.tif 000012
【図１１】
2019058110.tif 000013
【図１２】
2019058110.tif 000014
【図１３】
2019058110.tif 000015
【図１４】
2019058110.tif 000016